(57)【特許請求の範囲】
【請求項１】
刈取部のうち運転部の左右一側に位置して後部の脱穀装置に穀稈を搬送する搬送装置の上方を覆うカバー姿勢と、開放する開放姿勢とに切り換え操作自在な防塵カバーを設け、この防塵カバーの後部の左右部分同士を左右向き姿勢の連結部で固定連結して、前記防塵カバーを前記連結部の左右向き軸芯周りで、前記脱穀装置に連設した左右のブラケットに上下揺動自在に取り付け、前記防塵カバーの揺動操作に伴う姿勢切り換えを許容する状態で防塵カバーをカバー姿勢と開放姿勢とのそれぞれで保持するデテント機構を設けてあるコンバイン。
【請求項２】
防塵カバーが、合成樹脂製のカバー本体と、このカバー本体の左右両側辺部を補強する左右の補強部同士を左右向き姿勢の連結部で固定連結した構造のフレームとから構成されている請求項１記載のコンバイン。
【請求項３】
デテント機構を構成するに、フレームに左右横向き姿勢のバーの両端部を、左右横向き軸芯に対する遠近方向設定範囲内で移動自在な状態に取り付け、このバーを接近方向に移動付勢するバネを設け、左右のブラケットのそれぞれに、防塵カバーがカバー姿勢に揺動位置する状態においてバーを付勢力による接近移動で係合させて防塵カバーをカバー姿勢に保持する第１凹部と、防塵カバーが開放姿勢に揺動位置する状態においてバーを付勢力による接近移動で係合させて防塵カバーを開放姿勢に保持する第２凹部とを形成してある請求項２記載のコンバイン。
【請求項４】
バネが一本で、バーのうち左右のブラケット間の中央部に作用する状態で配置されている請求項３記載のコンバイン。
【請求項５】
バーに作用して防塵カバーのカバー姿勢からの上方への揺動を阻止するロック姿勢と揺動を許容する解除姿勢とに切り換え操作自在なロック具を設けてある請求項３又は４記載のコンバイン。
【発明の詳細な説明】
【０００１】
【発明の属する技術分野】
本発明は、刈取部のうち運転部の左右一側に位置して後部の脱穀装置に穀稈を搬送する搬送装置の上方を覆うカバー姿勢と、開放する開放姿勢とに切り換え操作自在な防塵カバーを設けてあるコンバインに関する。
【０００２】
【従来の技術】
前記防塵カバーは、搬送装置で搬送中の刈取穀稈から発生する土埃や、脱穀装置の扱胴風の吹き返しで発生する脱穀装置入口からの塵埃などが飛散して、運転部に降りかかる不都合を解消するためのものである。そして、上記のコンバインのように、この防塵カバーをカバー姿勢と開放姿勢とに切り換え操作自在としてある場合には、防塵カバーをカバー姿勢に切り換えておくことにより、前記の不都合解消を達成できる一方、脱穀装置の入口付近に浮き藁が堆積して搬送装置による刈取穀稈の搬送姿勢に悪影響を及ぼすような状況のとき、防塵カバーを開放姿勢に切り換えて搬送装置の上方を開放することにより、運転部や地上からの浮き藁の脱穀装置内への押し込みによる搬送装置からの除去作業を行えて、刈取穀稈の搬送姿勢乱れを防止できるのである。
【０００３】
そのような利点を有するコンバインとして従来では、特開平９‐１２１６５９号公報で見られるようなもの、つまり、防塵カバーを前後スライドによりカバー姿勢と開放姿勢とに切り換えるようにしたものが知られている。
【０００４】
【発明が解決しようとする課題】
しかし、上記従来の技術によるときは、スライドにより防塵カバーを姿勢切り換えするため、摺動抵抗が大きく、特に、左右のガイドレールの組付け精度が悪いと非常に大きく、その結果、姿勢切り換えの操作性が悪かった。
【０００５】
本発明の目的は、防塵カバーの姿勢切り換えの操作性を向上する点にある。
【０００６】
【課題を解決するための手段】
請求項１に係る本発明の特徴・作用・効果は次の通りである。
【０００７】
〔特徴〕
刈取部のうち運転部の左右一側に位置して後部の脱穀装置に穀稈を搬送する搬送装置の上方を覆うカバー姿勢と、開放する開放姿勢とに切り換え操作自在な防塵カバーを設け、この防塵カバーの後部の左右部分同士を左右向き姿勢の連結部で固定連結して、前記防塵カバーを前記連結部の左右向き軸芯周りで、前記脱穀装置に連設した左右のブラケットに上下揺動自在に取り付け、前記防塵カバーの揺動操作に伴う姿勢切り換えを許容する状態で防塵カバーをカバー姿勢と開放姿勢とのそれぞれで保持するデテント機構を設けてある点にある。
【０００８】
〔作用〕
上下揺動により姿勢切り換えするように防塵カバーを構成してあるから、姿勢切り換えの抵抗が揺動抵抗となって、摺動抵抗よりも小さい。
しかも、デテント機構により、操作に伴う防塵カバーの姿勢切り換えを許容する状態で防塵カバーをカバー姿勢と開放姿勢とのそれぞれで保持するようにしてあるから、防塵カバーを姿勢切り換えする際、姿勢保持を解除する操作が不要で、防塵カバーを揺動操作するだけで済む。
しかも、脱穀装置に連設の左右のブラケットに防塵カバーの後部左右部分同士を固定連結した連結部で防塵カバーを上下揺動自在に取り付けてあるから、防塵カバーの左右の傾きを防止して、取付け部でのこじれを防止できる。
【０００９】
〔効果〕
従って、軽快、かつ、一操作で防塵カバーを操作性良く姿勢切り換えすることができるようになった。
【００１０】
請求項２に係る本発明の特徴・作用・効果は次の通りである。
【００１１】
〔特徴〕
上記請求項１に係る本発明において、防塵カバーが、合成樹脂製のカバー本体と、このカバー本体の左右両側辺部を補強する左右の補強部同士を左右向き姿勢の連結部で固定連結した構造のフレームとから構成されている点にある。
【００１２】
〔作用〕
防塵カバーは、運転部から左右の側辺部のうち運転部側の側辺部を掴まれて姿勢切り換え操作されたり、地上から地上側の側辺部を掴まれて姿勢切り換え操作されたりする。
上記の点に着目して、合成樹脂製のカバー本体の左右両側辺部を補強する左右の補強部とこれら補強部同士を連結する左右向き姿勢の連結部とからなるフレームでカバー本体を補強してあるから、カバー本体を合成樹脂製として防塵カバーを可及的に軽量なものにしながらも、前記のように片側の側辺部を掴まれて切り換え操作された際でも、防塵カバーの捩じれを極力小さくして、取付け部でのこじれを小さくすることができる。
防塵カバーのうちブラケットに取り付けられる部位として、丈夫なフレームの連結部を選択してあるから、取付け強度を十分なものとして防塵カバーをガタなく取り付けることができる。
【００１３】
〔効果〕
従って、防塵カバーを軽量なものにできることと、こじれ及びガタなく防塵カバーを揺動させることができることとの相乗により、より一層、軽快、円滑に防塵カバーを姿勢切り換え操作できるようになった。
【００１４】
請求項３に係る本発明の特徴・作用・効果は次の通りである。
【００１５】
〔特徴〕
上記請求項２に係る本発明において、デテント機構を構成するに、フレームに左右横向き姿勢のバーの両端部を、左右横向き軸芯に対する遠近方向設定範囲内で移動自在な状態に取り付け、このバーを接近方向に移動付勢するバネを設け、左右のブラケットのそれぞれに、防塵カバーがカバー姿勢に揺動位置する状態においてバーを付勢力による接近移動で係合させて防塵カバーをカバー姿勢に保持する第１凹部と、防塵カバーが開放姿勢に揺動位置する状態においてバーを付勢力による接近移動で係合させて防塵カバーを開放姿勢に保持する第２凹部とを形成してある点にある。
【００１６】
〔作用〕
左右のブラケットのそれぞれで防塵カバーをカバー姿勢と開放姿勢とに保持するようにしてあるから、防塵カバーを各姿勢で左右の傾きなく安定保持することができる。
【００１７】
〔効果〕
従って、防塵カバーの姿勢保持を安定良く確実に行えるようになった。
【００１８】
請求項４に係る本発明の特徴・作用・効果は次の通りである。
【００１９】
〔特徴〕
上記請求項３に係る本発明において、バネが一本で、バーのうち左右のブラケット間の中央部に作用する状態で配置されている点にある。
【００２０】
〔作用〕
一本のバーを、左右のブラケットそれぞれの第１凹部や第２凹部に係合させて防塵カバーをカバー姿勢や開放姿勢に保持するようにしてあること、つまり、左右で保持しながらも第１凹部や第２凹部に係合させるものが一本のバーであることに着目して、一本のバネをバーのうち左右のブラケット間の中央部に作用する状態に配置してあるから、バーを左右のブラケットの第１凹部や第２凹部に確実に係合させながらも、バネが一つで済む。
【００２１】
〔効果〕
従って、防塵カバーを各姿勢に確実に保持できながらも、構造の簡素化及びコストダウンを図ることができるようになった。
【００２２】
請求項５に係る本発明の特徴・作用・効果は次の通りである。
【００２３】
〔特徴〕
上記請求項３や４に係る本発明において、バーに作用して防塵カバーのカバー姿勢からの上方への揺動を阻止するロック姿勢と揺動を許容する解除姿勢とに切り換え操作自在なロック具を設けてある点にある。
【００２４】
〔作用〕
ロック具を設けて、このロック具をロック姿勢に切り換え操作することにより防塵カバーをカバー姿勢に固定する一方、解除姿勢に切り換え操作することにより防塵カバーの開放姿勢への揺動を許容するようにしてあるから、作業時には、ロック具を解除姿勢に切り換えておくことにより、防塵カバーを姿勢切り換えしての浮き藁の処理を自由に行える一方、移動走行時など非作業時には、ロック具ロック姿勢に切り換えておくことにより、防塵カバーが風などにあおられて不測に上方に揺動することを確実に防止することができる。
しかも、バーを、ロック具とで防塵カバーをカバー姿勢に固定するための係合具に兼用してあるから、防塵カバーをカバー姿勢に固定するための係合具を別に設けなくても良くて、ロック具を設けるだけで済む。
【００２５】
〔効果〕
従って、作業時における防塵カバーを開放姿勢に切り換えての浮き藁処理を作業性良く行うことができるとともに、非作業時における防塵カバーの不測の揺動を防止でき、しかも、それを構造簡単・安価に実施できるようになった。
【００２６】
【発明の実施の形態】
コンバインは、図１に示すように、左右一対のクローラ走行装置１を備えた自走機体の前部に、植立穀稈を刈り取って後方に搬送する刈取部２を揺動昇降操作自在に連結し、前記自走機体に、前記刈取部２から搬送されてくる刈取穀稈を脱穀処理する脱穀装置３を搭載し、前記刈取部２のうち刈取穀稈を脱穀装置３に搬送する搬送装置２Ａの左右一側に搭乗運転部４を配設して構成されている。
【００２７】
そして、図３にも示すように、後部の左右向き軸芯Ｐ周りでの上下揺動により、前記搬送装置２Ａの上方を覆うカバー姿勢と開放する開放姿勢とに切り換え操作自在な防塵カバー５を設け、この防塵カバー５の操作に伴う姿勢切り換えを許容する状態で防塵カバー５をカバー姿勢と開放姿勢とのそれぞれで保持するデテント機構６を設けてある。
【００２８】
前記防塵カバー５は、図２、図３に示すように、合成樹脂製の透視可能なカバー本体５Ａと、このカバー本体５Ａの左右両側辺部を補強する左右の補強部５ａ同士を左右向き姿勢の連結部５ｂした構造、詳しくは、平面視で「コ」の字形のフレーム５Ｂとから構成されており、カバー本体５Ａは左右の補強部５ａそれぞれに前後二箇所でボルト止めされている。
【００２９】
前記防塵カバー５の取付け手段は、図２、図３に示すように、前記脱穀装置３に、左右方向に間隔を隔てて配置する二つのブラケット７をボルト止めし、これらブラケット７に、フレーム５Ｂの連結部５ｂを支軸として防塵カバー５を上下揺動自在に取り付ける手段である。
【００３０】
前記ブラケット７は、脱穀装置３にボルト止めされる基端ブラケット材７Ａと、この基端ブラケット材７Ａの先端部（前端部）にボルト止めされる先端ブラケット材７Ｂとからなり、防塵カバー５は先端ブラケット材７Ｂに取り付けられている。
【００３１】
前記デテント機構６は、図２、図３に示すように、前記フレーム５Ｂに、防塵カバー５の左右幅のほぼ全幅にわたる長さの左右横向き姿勢のバー８の両端部を、前記左右向き軸芯Ｐに対する遠近方向設定範囲内で移動自在な状態に取り付け、このバー８を接近方向に移動付勢するコイルバネ９を前記連結部５ｂとバー８との間に架設し、前記左右の先端ブラケット材７Ｂのそれぞれに、防塵カバー５がカバー姿勢に揺動位置する状態においてバー８を付勢力による接近移動で係合させて防塵カバー５をカバー姿勢に保持する第１凹部１０Ａと、防塵カバー５が開放姿勢に揺動位置する状態においてバー８を付勢力による接近移動で係合させて防塵カバー５を開放姿勢に保持する第２凹部１０Ｂとを形成して構成されている。なお、バー８は、先端ブラケット材７Ｂのうち第１凹部１０Ａと第２凹部１０Ｂとの間に位置する部分への操作に伴う乗り上げを円滑に行えるようにするために丸パイプから構成されている。
【００３２】
前記バー８の両端部をフレーム５Ｂに取り付ける手段は、図４にも示すように、補強部５ａ後端の上方への曲がり部に固着の補強板５ｃに、バー８の端部を挿通させて保持する孔１１を前記の遠近方向に沿った長孔として形成する手段である。
【００３３】
前記コイルバネ９は、一本であって、バー８のうち左右のブラケット７間の中央部に作用する状態で配置されている。
【００３４】
そして、図５、図６にも示すように、前記バー８に係合作用して防塵カバー５のカバー姿勢から上方への揺動を阻止するロック姿勢と揺動を許容する解除姿勢とに左右向き軸芯ｘ周りに揺動切り換え操作自在な操作片１２ａ付きロック具１２を一方の先端ブラケット材７Ｂに取り付けてある。１３はロック具１２の姿勢固定用の摩擦力を発生させる姿勢保持バネである。
【００３５】
〔別実施形態〕
防塵カバー５を前端側を支点としてカバー姿勢と開放姿勢とに揺動切り換え自在に構成する。
【００３６】
コイルバネ９を複数個設けて実施しても良い。
【図面の簡単な説明】
【図１】コンバイン要部の側面図
【図２】防塵カバーの切り欠き平面図
【図３】各姿勢での防塵カバーの要部の切り欠き側面図
【図４】バーの取付け部の切り欠き側面図
【図５】ロック具の各姿勢での側面図
【図６】ロック具装着部の切り欠き平面図
【符号の説明】
２          刈取部
２Ａ        搬送装置
３          脱穀装置
４          運転部
５          防塵カバー
６          デテント機構
５Ａ        カバー本体
５Ｂ        フレーム
５ａ        補強部
５ｂ        連結部
７          ブラケット
８          バー
９          バネ
１０Ａ      第１凹部
１０Ｂ      第２凹部
１２        ロック具
Ｐ          左右向き軸芯
【図１】
0003578675.tif 000002
【図２】
0003578675.tif 000003
【図３】
0003578675.tif 000004
【図４】
0003578675.tif 000005
【図５】
0003578675.tif 000006
【図６】
0003578675.tif 000007